(57)【要約】【課題】汚水漏れを確実に防止するとともに灯火器の視認性を満足させることが可能な汚水収容装置を提供することである。【解決手段】ミキサ車の後端部に取り付けられて洗浄汚水を収容する汚水収容装置１において、後方側バンパＢと左右後輪Ｗｒ，Ｗｌの後端を結ぶ仮想線ＶＬとの間のスペースに設けられる可撓性の筒体２と、同じく後方側バンパＢと左右後輪Ｗｒ，Ｗｌの後端を結ぶ仮想線ＶＬとの間のスペースに設けられるホッパ３とを備えてなり、筒体２の一端をホッパ３の汚水出口に取り外し自在に連結する連結手段４を設けたことを特徴とする。【選択図】        図１
2007196879.tif 000002
【特許請求の範囲】
【請求項１】
ミキサ車の後端部に取り付けられて洗浄汚水を収容する汚水収容装置において、後方側バンパと左右後輪の後端を結ぶ仮想線との間のスペースに設けられる可撓性の筒体と、同じく後方側バンパと左右後輪の後端を結ぶ仮想線との間のスペースに設けられるホッパとを備えてなり、筒体の一端をホッパの汚水出口に取り外し自在に連結する連結手段を設けたことを特徴とする汚水収容装置。
【請求項２】
ホッパは、リヤフェンダの後ろ側に配置されるとともに水平方向に遥動自在に取り付けられ、筒体の他端は閉塞されてホッパよりミキサ車の内側に位置するよう取り付けられることを特徴とする請求項１に記載の汚水収容装置。
【請求項３】
連結手段は、筒体の一端を内側と外側から挟み込んでホッパの汚水出口に符合するように開口保持する一対の環状帯と、前記環状帯の一方に固定されるフックと、ホッパの外周に設けられフックを引っ掛ける金具とを備えてなることを特徴とする請求項１または２に記載の汚水収容装置。
【発明の詳細な説明】
【技術分野】
【０００１】
この発明は、ミキサ車の洗浄汚水を収容する汚水収容装置の改良に関する。
【背景技術】
【０００２】
ミキサ車と言われるアジテータトラックにあっては、車台に搭載のドラム内に運搬物であるモルタルやレディミクストコンクリート等（以下、「生コン」という）が残留固化すると、攪拌性能の劣化、最悪の場合、生コンのドラムへの投入およびドラムからの排出が困難となるなど、種々の悪影響を及ぼす原因となる。
【０００３】
特に、生コンをドラム内に投入するために使用されるホッパや、生コンを排出するために使用されるシュートは外気に直接触れるため、生コンが固化しやすく、ミキサ車のメンテナンス上、生コン排出をした後、ホッパやシュートを速やかに洗浄することが好ましいが、ホッパやシュートを洗浄するのに使用した洗浄水は、生コンを含んだ汚水であるため、そのままミキサ車外へ排出することができない。
【０００４】
そのため、従来のミキサ車にあっては、たとえば、ミキサ車の最後端に設けた、可撓性の筒体と、筒体の一端に設けた漏斗上の口金と、筒体の他端をステップに引っ掛けるフックとを備えた汚水収容装置を搭載するようにしている（たとえば、特許文献１参照）。
【０００５】
そして、この汚水収容装置にあっては、上記口金でシュートの下端から排出される汚水を受けて筒体内に汚水を導くとともに、筒体の中央部を両端より低い位置に維持することによって、筒体内に汚水を収容するようにしている。
【０００６】
このような従来の汚水収容装置にあっては、汚水を上記筒体内に収容しつつ廃棄物処分場まで運搬することができ、廃棄物処分場では、フックをステップから取り外すことによって筒体の他端が自由端となるので、筒体からの汚水排水作業も容易となる利点がある。
【特許文献１】実開平５−６３８０７号公報（図１）
【発明の開示】
【発明が解決しようとする課題】
【０００７】
しかしながら、従来の汚水収容装置にあっては、筒体は、ミキサ車の最後端となるバンパ部分に沿って水平横方向に設置する必要があり、このような設置の仕方では、ミキサ車の後端のバンパが覆われてしまうことになる。
【０００８】
すると、ミキサ車に後方から車両が衝突するような事故時や、ミキサ車が後退するときに死角となるバンパに障害物がぶつかってしまったときには、筒体が押圧されたり、筒体自体が損傷してしまったりして汚水が道路上等に撒き散らされてしまう恐れがある。
【０００９】
さらに、従来のミキサ車では、灯火器（尾灯、方向指示器、後部反射板等）をドラムの後端左右のフレーム構造物に取り付けており、灯火器の位置が他用途車のそれよりかなり上方に位置しているが、平成１８年１月１日から施行される道路運送車両法に基づく道路運送車両保安基準（以下、保安基準という）の改正では、灯火器に対する斜め方向からの視認性要件が追加されたことにより、従来の灯火器取付位置では灯火器を見上げる状態になるときにシュート等で灯火器が隠れてしまい当該斜めからの視認性要件を満足しなくなる。
【００１０】
これを満足し適法にミキサ車を運行するためには灯火器を見上げる状態になることのないミキサ車の最後端となるバンパに灯火器を取り付けることが最適あるが、上記従来の汚水収容装置では、筒体がバンパより後方側に取り付けられることから灯火器を設置したとしても、灯火器を筒体や口金が覆ってしまい、後方から灯火器を確認することができなくなってしまうという問題がある。
【００１１】
そこで、本発明は、上記不具合を改善するために創案されたものであって、その目的とするところは、汚水漏れを確実に防止するとともに灯火器の視認性を満足させることが可能な汚水収容装置を提供することである。
【課題を解決するための手段】
【００１２】
上記した目的を達成するために、ミキサ車の後端部に取り付けられて洗浄汚水を収容する汚水収容装置は、後方側バンパと左右後輪の後端を結ぶ仮想線との間のスペースに設けられる可撓性の筒体と、同じく後方側バンパと左右後輪の後端を結ぶ仮想線との間のスペースに設けられるホッパとを備えてなり、筒体の一端をホッパの汚水出口に取り外し自在に連結する連結手段を設けるようにした。
【発明の効果】
【００１３】
本発明の汚水収容装置は、ミキサ車の後方側バンパと左右後輪の後端を結ぶ仮想線との間のスペースに設けられるので、ミキサ車が後方から衝撃を受けるような事態、すなわち、ミキサ車に後方から後続車両が追突するような事故時や、ミキサ車が後退するときに後方障害物に接触するような場合にあっても、汚水収容装置は、バンパに保護されることになって、汚水が外部に漏れてしまう恐れがない。
【００１４】
さらに、汚水収容装置は、バンパを後方側から覆うようなことがないので、バンパに直接灯火器を設置することが可能となり、灯火器の良好な視認性を確保できる。
【発明を実施するための最良の形態】
【００１５】
以下に、図示した実施の形態に基づいて、この発明を説明する。図１は、一実施の形態における汚水収容装置の斜視図である。図２は、一実施の形態における汚水収容装置の平面図である。図３は、一実施の形態における汚水収容装置のホッパの動作を示す図である。図４は、一実施の形態の汚水収容装置における筒体の拡大図である。図５は、一実施の形態の変形例の汚水収容装置におけるにおける筒体の拡大図である。
【００１６】
一実施の形態における汚水収容装置１は、図１および図２に示すように、ミキサ車の後端部に取付けられて洗浄汚水を収容する装置であって、ミキサ車の後方側バンパＢと左右後輪Ｗｒ，Ｗｌの後端を結ぶ仮想線ＶＬとの間のスペースに設けられる可撓性の筒体２と、同じく後方側バンパＢと左右後輪Ｗｒ，Ｗｌの後端を結ぶ仮想線ＶＬとの間のスペースに設けられるホッパ３と、筒体２の一端をホッパ３の汚水出口３ａに取り外し自在に連結する連結手段４とを備えて構成されている。
【００１７】
以下、各部について詳しく説明すると、ホッパ３は、受水部３ｂと、受水部３ｂの下端から伸びる先細り筒状の汚水出口３ａとを備えて構成されており、受水部３ｂは、図１，２に示すように、有底筒状とされ、その断面形状は一端が円形に膨らむ長方形とされるとともに、底部３ｃは、一方に向けて傾斜し、その最下端は、上記汚水出口３ａ内に連通するように開口されている。
【００１８】
なお、後方側バンパＢは、図１および図２に示すように、ミキサ車の左右のシャシフレーム１０，１３の最後端に符示しないブラケットを介して連結されており、また、この後方側バンパＢの左右には、灯火器Ｌが搭載されている。
【００１９】
また、受水部３ｂの汚水出口３ａが連なる側の側壁３ｈは、後輪Ｗｒの上部を覆うリヤフェンダＦの後ろ側に配置して設けたミキサ車作業員の足場となるステップＳｔの後端にヒンジ結合されており、ホッパ３は、水平方向に揺動可能とされ、図３中二点鎖線で示すミキサ車の進行方向に対して垂直となる収納ポジションと、図３中実線で示すミキサ車の進行方向に対して略平行となり、受水部３ｂがシュートＳの直下に配置される受水ポジションとを採ることが可能となっている。
【００２０】
上記ステップＳｔは、シャシフレーム１０に連結され、シャシフレーム１０から上記リヤフェンダＦの背後に延びるステー１４の上部に固定されており、ホッパ３は、ステップＳｔの後端にヒンジ結合されることで、リヤフェンダＦの後ろ側に配置されている。
【００２１】
なお、ホッパ３を上記した収納ポジションおよび受水ポジションに維持固定できるようにしておくとよい。また、ホッパ３をリヤフェンダＦの後ろ側に配置して水平方向に遥動自在に取り付けるには、上述したように、ステップＳｔにホッパ３をヒンジ結合する以外にも、ホッパ３を上記ステー１４あるいは強度上問題が無いようであればリヤフェンダＦにヒンジ結合するようにしてもよく、また、シャシフレーム１０に別途設けたステーにヒンジ結合してもよい。
【００２２】
そして、さらに、受水部３ｂが受水ポジションとなるときにシュートＳの受水部３ｂ内への進入を可能とするように、ミキサ車の内側を向く側壁３ｅに切欠３ｆを設けてある。また、受水ポジションとなるときにミキサ車の外側を向く側壁３ｇの上端は、シュートＳの下端より上方に位置するように設定されている。このように設定されることによってシュートＳの下端から排出される汚水を確実に受水部３ｂで受けることが可能なようになっている。
【００２３】
さらに、ホッパ３は、収納ポジションを採るときには、シュートＳの回転を妨げることがなく、受水部３ｂが受水ポジションとなるときにミキサ車の後方を向く側壁３ｉには、シュートＳの下端の干渉を防止する凹部３ｄが設けられており、ホッパ３が受水ポジションを採る場合であっても、図３中の二点鎖線で示すように、シュートＳのミキサ車の後方側への回転が許容されている。
【００２４】
したがって、ホッパ３の揺動する範囲は、収納ポジションから受水ポジションまでの９０度の範囲とされればよく、ホッパ３は、ミキサ車の横からはみ出してしまうことがなく、万が一、ホッパ３を受水ポジションにしたままミキサ車を走行させるような事態となっても、ホッパ３が外部と接触してしまうようなことがない。
【００２５】
なお、上記凹部３ｄを設けないのであれば、ホッパ３の揺動できる範囲は、受水ポジションを超える方向に拡大させておくようにすればよいが、上述したように、この場合は、ホッパ３を少なくとも受水ポジションに維持固定するようにしておくことが好ましい。また、切欠３ｆを設けないのであれば、シュートＳと受水部３ｂとの干渉を防止するため、ホッパ３をステップＳｔに、受水部３ｂの側壁３ｅの上端がシュートＳの下端より下側に位置するように、取り付けるようにしておくことが好ましい。
【００２６】
また、ホッパ３は、上述のように収納ポジションを採ることが可能であるので、生コン排出時に必要なシュートＳの操作時などでは、ホッパ３が邪魔とならずにすむので、汚水収容装置１をバンパＢと左右後輪Ｗｒ，Ｗｌの後端を結ぶ仮想線ＶＬとの間のスペースに設けるようにしてもシュートＳの操作性を損なうことがない。
【００２７】
他方、筒体２は、可撓性の材料で形成され、具体的には、たとえば、合成樹脂コーティングされる布材や繊維強化樹脂等をホース状に形成したものが使用可能である。
【００２８】
そして、筒体２の一端２ａには、図４に示すように、該一端２ａを内側と外側から挟み込んで開口保持する一対の環状帯５，６が取り付けられており、この環状帯５，６は金属製で筒体２の一端２ａを貫通するリベットやボルト等によって筒体２の一端２ａに固定され、この実施の形態の場合、筒体２の一端２ａを円形に開口保持するようになっている。
【００２９】
また、筒体２の他端２ｂは、図４に示すように、一対の金属片７，８でその表裏から挟み込まれて折りたたまれた状態に維持されて閉塞され、この金属片７，８もろとも折りたたまれた他端２ｂを貫通するボルト等でミキサ車のシャシフレーム１０の側部に結合されている。
【００３０】
このように、筒体２の他端２ｂが閉塞されるので、他端２ｂから筒体２内に収容される汚水が漏れることを防止できるが、他端２ｂの閉塞は、上記方法に限られず、汚水が他端２ｂから漏れることが防止できる限りにおいては、他の方法を採用することが可能である。なお、筒体２よりシャシフレーム１０より内側に取付けられる金属片７は省略するとしてもよく、また、筒体２の他端２ｂを上記のように折り曲げずにそのまま金属片７，８で挟み込むかシャシフレーム１０と金属片８で挟み込んでおくようにしてもよい。
【００３１】
また、この他端２ｂの結合には、取り外し不可能な結合も含まれるが、筒体２の経年劣化による交換の必要性に鑑みると、取り外し可能な結合を採用するほうが好ましい。
【００３２】
つづき、受水部３ｂの下方に連なる汚水出口３ａには、図１に示すように、上記した筒体２の一端２ａが連結される。ここでの連結は、上記筒体２の一端２ａｂ内に汚水出口３ａの全体あるいは一部が挿入されるようにして連結される。この連結の際には、環状帯６に結合されるフック１１と、受水部３ｂが受水ポジションを取るときにミキサ車の外方を向く側部に設けられた環を形成してフック１１を引っ掛けることが可能な金具１２とを利用して連結される。したがって、連結手段４は、この場合、上記フック１１と金具１２とされているが、ボルト止めや筒体２の一端２ａを汚水出口３ａに締め付けるバンドによって連結するような手段も採用することができる。
【００３３】
そして、筒体２の一端２ａは、上記環状帯５，６で汚水出口３ａの断面形状に符合するように円形に維持されており、該一端２ａの開口形状は、汚水出口３ａにフィットするので、わざわざ筒体２の一端２ａを汚水出口３ａの形状にあうように作業するような手間が省け、上記フック１１を金具１２に引っ掛けるだけで簡単に筒体２の一端２ａを汚水出口３ａに連結することが可能なようになっている。
【００３４】
また、フック１１の長さは、筒体２の一端２ａが汚水出口３ａにはまり込む程度の長さに設定されており、また、フック１１と環状帯６との結合は、環状帯６に対してフック１１が回転あるいは遥動することが可能な結合のほか、まったくフック１１が動かないように固定される結合とされてもよい。さらに、筒体２の一端２ａの内側に配置される環状帯５にフック１１を結合するようにしてもよい。
【００３５】
なお、上記フック１１は、単に先端形状がフック状とされたものとなっているが、金具１２からの脱落を防止できるようにナスカンフックとされてもよい。
【００３６】
上述したことから筒体２は、他端２ｂがミキサ車の内側となる位置に取り付けられ、一端２ａがミキサ車の側部の最外方に取り付けられるホッパ３の汚水出口３ａに連結されるようになっており、筒体２の中間部が撓んで、中間部は筒体２の一端２ａおよび他端２ｂより下方に位置するようになっている。
【００３７】
ここで、図示するところでは、筒体２の他端２ｂは、シャシフレーム１０のホッパ３側を向く側面に固定されているが、筒体２内に収容される汚水量を多くするためにこれを反対側のシャシフレーム１３、すなわち、ミキサ車の中心線を超えて反対側となるシャシフレーム１３に固定するようにしてもよい。また、筒体２ｂの他端は、ホッパ３よりミキサ車の内側となる位置に取り付けることが可能であればよいので、たとえば、上記他端２ｂをステー１４に取り付けるようにしてもよい。
【００３８】
以上のように構成された汚水収容装置１では、ミキサ車のシュートＳ等を洗浄する際には、汚水出口３ａに筒体２の一端２ａを上記連結手段４によって連結させておき、ホッパ３を受水ポジションに維持し、シュートＳから排出される洗浄汚水を受水部３ｂで集め、筒体２内に汚水を収容することができる。
【００３９】
そして、ミキサ車は、汚水を筒体２内に収容した後、産業廃棄物処理場にて、汚水を排出するには、筒体２が可撓性であるので、フック１１を金具１２から取り外すと筒体２の一端２ａが自由端となって、該一端２ａをしかるべき汚水排出場所に導くことができ、筒体２から汚水を排出することができる。
【００４０】
したがって、この汚水収容装置１にあっては、汚水の収容と排出作業が非常に簡単に行うことが可能である。
【００４１】
そして、汚水収容装置１は、図２に示すように、ミキサ車の後方側バンパＢと左右後輪Ｗｒ，Ｗｌの後端を結ぶ仮想線ＶＬとの間のスペースに設けられるので、ミキサ車が後方から衝撃を受けるような事態、すなわち、ミキサ車に後方から後続車両が追突するような事故時や、ミキサ車が後退するときに後方障害物に接触するような場合にあっても、汚水収容装置１は、後方側バンパＢに保護されることになって、汚水が外部に漏れてしまう恐れがない。
【００４２】
さらに、汚水収容装置１は、後方側バンパＢを後方側から覆うようなことがないので、図１に示すような、後方側バンパＢに直接投下器Ｌを設置することが可能となり、投下器Ｌを良好な視認性を確保できる位置に設置することできる。
【００４３】
なお、上記した実施の形態においては、ホッパ３は水平方向に遥動可能なようにステップＳｔにヒンジ結合されているが、上述したようにホッパ３に凹部３ｄを設けておくか、ホッパ３がシュートＳの遥動を妨げることが無い場合には、ホッパ３を上述の受水ポジションを採る姿勢で固定的にステップＳｔ、ステー１４あるいはリヤフェンダＦに取り付けるようにしてもよい。この場合には、ホッパ３が遥動可能な場合に比較して、ホッパ３が遥動できないのでミキサ車の真横へ向けて生コンを排出することができなくなるが、ホッパ３をヒンジ結合せずにステップＳｔ、ステー１４、リヤフェンダＦや別途シャシフレーム１０に設けられるステーに螺子結合や溶接といった種々の固定方法で取り付けることが可能となって、より安価にミキサ車に汚水収容装置を取り付けることが可能となる。
【００４４】
さらに、上記した実施の形態においては、筒体２の他端２ｂが閉塞されることで筒体２内に収容された汚水の漏洩が確実に防止されるが、図５に示す一実施の形態の変形例における汚水収容装置のように、筒体２の他端２ｂを閉塞せずにフック２０でシャシフレーム１０あるいはステー１４に設けた金具２１に引っ掛けて、筒体２の中間部が一端２ａおよび他端２ｂより下方に配置されるようにしてもよく、この場合は、他端２ｂのシャシフレーム１０あるいはステー１４からの取り外しがより一層容易となって筒体２のメンテナンスや交換の作業がより一層容易となる。なお、フック２０は、図示するところでは、他端２ｂの固定が確実なナスカンフックとされているが、他のフックとされてもよい。
【００４５】
以上で、本発明の実施の形態についての説明を終えるが、本発明の範囲は図示されまたは説明された詳細そのものには限定されないことは勿論である。
【図面の簡単な説明】
【００４６】
【図１】一実施の形態における汚水収容装置の斜視図である。
【図２】一実施の形態における汚水収容装置の平面図である。
【図３】一実施の形態における汚水収容装置のホッパの動作を示す図である。
【図４】一実施の形態における汚水収容装置における筒体の拡大図である。
【図５】一実施の形態の変形例の汚水収容装置におけるにおける筒体の拡大図である。
【符号の説明】
【００４７】
１  汚水収容装置
２  筒体
２ａ  筒体における一端
２ｂ  筒体における他端
３  ホッパ
３ａ  汚水出口
３ｂ  受水部
３ｃ  底部
３ｄ  凹部
３ｅ，３ｇ，３ｈ，３ｉ  側壁
３ｆ  切欠
４  連結手段
５，６  環状帯
７，８  金属片
１０，１３  シャシフレーム
１１，２０  フック
１２，２１  金具
１４  ステー
Ｂ  後方側バンパ
Ｆ  リヤフェンダ
Ｌ  投下器
Ｓ  シュート
Ｓｔ  ステップ
ＶＬ  仮想線
Ｗｒ  右後輪
Ｗｌ  左後輪
【図１】
2007196879.tif 000003
【図２】
2007196879.tif 000004
【図３】
2007196879.tif 000005
【図４】
2007196879.tif 000006
【図５】
2007196879.tif 000007